(57)【要約】  本発明は、ノズル本体と一体に形成されたノズル固定金具に結合され、パネルと水平配管に着脱固定されるクランピングユニットを含む構造であって、設置と解体が容易であり、振動に対する耐久性を有し、強固な締結力の維持が可能なようにする配管クリップノズル一体型アセンブリに関するものである。【選択図】図１
2018531143.tif 000002
【特許請求の範囲】
【請求項１】
一定の面積を有するパネルの一側端と平行に配置される水平配管内部を流れる流体の供給を受け、前記パネルに向かって前記流体を噴射する噴射口が備えられたノズル本体と、
前記ノズル本体と連結されて一体を形成し、前記パネル下部側に配置された前記水平配管側に向かって延長されたノズル固定金具（ｃｌａｍｐ）と、
前記ノズル固定金具に備えられ、一端部には前記水平配管を支え支持する配管支え片を一体に備えて前記パネルを支持する第１クリップ、および
前記ノズル固定金具に備えられて前記パネルを支持する第２クリップを含み、
前記ノズル固定金具が前記ノズル本体から受ける力は、前記第２クリップに伝えられるとともに、前記第１クリップと前記第２クリップが前記ノズル固定金具に締結される部分（以下、「締結点」）で重心が形成され、
前記ノズル本体の前記噴射口を介して前記流体が噴射される圧力と、前記流体が噴射される圧力が前記水平配管に伝えられて加わる力によって、前記第１クリップと前記第２クリップの前記締結点を中心として両側に加わるテコの作用力が平衡をなすことを特徴とする配管クリップノズル一体型アセンブリ。
【請求項２】
前記第２クリップは、前記ノズル固定金具と一体に形成されることを特徴とする請求項１に記載の配管クリップノズル一体型アセンブリ。
【請求項３】
前記第１クリップの他端部は、前記パネルの上面端を押え固定するとともに、前記第２クリップの一端部は、前記パネルの下面に接触固定されることを特徴とする請求項１に記載の配管クリップノズル一体型アセンブリ。
【請求項４】
前記水平配管は、前記パネルと地表面から水平に位置することを特徴とする請求項１に記載の配管クリップノズル一体型アセンブリ。
【請求項５】
前記第１クリップは、
前記配管支え片に一体に形成され、前記水平配管の外周面を囲むパイプホルダーをさらに含むことを特徴とする請求項１に記載の配管クリップノズル一体型アセンブリ。
【請求項６】
一定の面積を有するパネルの一側端と平行に配置される水平配管内部を流れる流体の供給を受け、前記パネルに向かって前記流体を噴射する噴射口が備えられたノズル本体と、
前記ノズル本体と連結されて一体を形成し、前記パネル下部側に配置された前記水平配管側に向かって延長されたノズル固定金具、および
前記ノズル固定金具に形成され、前記パネルと前記水平配管に着脱固定され、前記ノズル本体から噴射される流体の圧力と、前記水平配管に加わる力が、前記ノズル固定金具を中心にして前記ノズル固定金具の両側で平衡をなすようにするクランピングユニット（ｃｌａｍｐｉｎｇ  ｕｎｉｔ）を含むことを特徴とする配管クリップノズル一体型アセンブリ。
【請求項７】
前記ノズル固定金具は、
前記ノズル本体と結合されて一体を形成する支持ブラケットと、
前記支持ブラケットから延長されて相互対面する一対の固定片を含み、
前記一対の固定片のそれぞれの端部に前記クランピングユニットが回動可能に結合されることを特徴とする請求項６に記載の配管クリップノズル一体型アセンブリ。
【請求項８】
前記クランピングユニットは、
前記ノズル本体と連結された前記ノズル固定金具に回動可能に結合され、一端部は、前記水平配管の外周面一部を支え支持し、他端部は、前記パネルの上面端に接触固定される第１クリップと、
前記ノズル固定金具に回動可能に結合され、上端部は、前記パネルの下面端に接触固定される第２クリップを含むことを特徴とする請求項６に記載の配管クリップノズル一体型アセンブリ。
【請求項９】
前記クランピングユニットは、
前記ノズル本体と連結される前記ノズル固定金具の支持ブラケットから延長された一対の固定片のそれぞれの端部を貫通して両端部が締結固定される回動軸に一対の前記第１クリップが回動可能に結合され、
前記第２クリップは、一対の前記第１クリップの間に配置されて前記回動軸を基準として回動可能に結合されることを特徴とする請求項８に記載の配管クリップノズル一体型アセンブリ。
【請求項１０】
前記第１クリップは、
前記ノズル固定金具に回動可能に結合される第１連結片と、
前記第１連結片の一端部から延長されて前記水平配管の外周面一部と対応する円弧状の支え溝を備える配管支え片と、
前記第１連結片の他端部から延長されて折曲り、前記第１連結片と連動して回動しながら前記パネルの上面端を押え固定する押え固定片を含むことを特徴とする請求項８に記載の配管クリップノズル一体型アセンブリ。
【請求項１１】
前記第２クリップは、
前記ノズル固定金具に回動可能に結合される第２連結片と、
前記第２連結片の上端部から延長されて折曲形成され、前記第２連結片と連動して回動しながら前記パネルの下面端を支え支持する支え固定片と、
前記第２連結片の下端部から延長される作用片を含むことを特徴とする請求項８に記載の配管クリップノズル一体型アセンブリ。
【請求項１２】
前記クランピングユニットは、
前記第１クリップと一体を形成し、前記第１クリップの一端部から延長されて前記水平配管の外周面を囲み、前記水平配管の内部空間と前記ノズル本体を配管連結して相互連通させるパイプホルダーをさらに含むことを特徴とする請求項８に記載の配管クリップノズル一体型アセンブリ。
【発明の詳細な説明】
【技術分野】
【０００１】
本発明は、配管クリップノズル一体型アセンブリに関する。より詳細には、太陽光発電設備の効率向上のための洗浄用噴射ノズルを設置するために適用される配管クリップノズル一体型アセンブリに関する。
【背景技術】
【０００２】
太陽光は、地球温暖化誘発要因中の一つである温室ガスを排出することもなく、一切の騒音や環境破壊などの危険がない、既存のエネルギー源とは異なる清浄エネルギー源であり、枯渇の心配もないことはもちろん、他の風力や海水力とは異なって、太陽光発電設備は、設置が自由で維持費用が安いという長所を有する。
【０００３】
しかし、最も広く使用されているシリコン太陽電池の場合、太陽光モジュールの温度が上がる場合は、１℃当たり０．５％の出力減少が発生する。
【０００４】
このような特性により、太陽光発電の出力は、日照時間が最も長い夏でなく、春と秋に最高値を記録し、このような温度上昇は、太陽光発電の発電効率を低下させる主要原因となっている。
【０００５】
また、このような太陽光モジュールは、太陽電池板に黄砂、悪天候などの気象現象などによって汚物がたまりやすいという短所を有する。
【０００６】
太陽光モジュールに汚物がたまる場合、太陽光モジュールは、光吸収率が著しく低下し、したがって発電効率も低下し得る。
【０００７】
また、冬季に雨や雪などが太陽電池板に降る場合、発電効率の低下が発生することがあり得る。
【０００８】
このような汚物、雪、雨による発電効率の低下の防止のために、太陽光発電設備の効率向上設備（維持設備）が使用される。
【０００９】
太陽光発電設備の効率向上設備は、太陽光モジュールの温度を下げる冷却作用と太陽電池板に積もった汚物、雪、雨などを洗浄、除雪などを行うことにより、太陽光モジュールが一定の出力の発電を行うことができるように太陽光発電設備を維持管理する機能を有する。
【００１０】
もし、太陽光発電設備の効率向上設備の太陽光モジュールに対する冷却作用が円滑でないか、太陽電池板の洗浄作用が円滑でない場合は、太陽光モジュールの出力が低下する問題点がある。
【００１１】
前記のような観点から、パネル形状の太陽電池板の一側端と平行に配置される水平配管から洗浄水の供給を受け、太陽電池板に噴射する噴射ノズルアセンブリのようなものが発明されている。
【００１２】
このような噴射ノズルアセンブリを設置するためには、太陽電池板の端にクランプ装置を設置して、このようなクランプ装置に噴射ノズルアセンブリを設置するが、噴射ノズルから噴射される洗浄水の水圧によってクランプ装置が最初に設置された位置から離脱したり、最初設置された締結力を維持することできず、クランプ装置の締結部位が変形または破損する問題点があった。
【発明の概要】
【発明が解決しようとする課題】
【００１３】
本発明は、前記のような問題点を改善するために発明されたものであって、設置と解体が容易な配管クリップノズル一体型アセンブリを提供するものである。
【００１４】
そして、本発明は、振動に対する耐久性を有し、強固な締結力の維持が可能なようにする配管クリップノズル一体型アセンブリを提供するものである。
【課題を解決するための手段】
【００１５】
前記のような目的を達成するために、本発明は、一定の面積を有するパネルの一側端と平行に配置される水平配管内部を流れる流体の供給を受け、前記パネルに向かって前記流体を噴射する噴射口が備えられたノズル本体と、前記ノズル本体と連結されて一体を形成し、前記パネル下部側に配置された前記水平配管側に向かって延長されたノズル固定金具（ｃｌａｍｐ）と、前記ノズル固定金具に備えられ、一端部には前記水平配管を支え支持する配管支え片を一体に備えて前記パネルを支持する第１クリップ、および前記ノズル固定金具に備えられて前記パネルを支持する第２クリップを含み、前記ノズル固定金具が前記ノズル本体から受ける力は、前記第２クリップに伝えられるとともに、前記第１クリップと前記第２クリップが前記ノズル固定金具に締結される部分（以下、「締結点」）で重心が形成され、前記ノズル本体の前記噴射口を介して前記流体が噴射される圧力と、前記流体が噴射される圧力が前記水平配管に伝えられて加わる力によって、前記第１クリップと前記第２クリップの前記締結点を中心として両側に加わるテコの作用力が平衡をなすことを特徴とする配管クリップノズル一体型アセンブリを提供することができる。
【００１６】
ここで、前記第２クリップは、前記ノズル固定金具と一体に形成されることを特徴とする。
【００１７】
このとき、前記第１クリップの他端部は、前記パネルの上面端を押え固定するとともに、前記第２クリップの一端部は、前記パネルの下面に接触固定されることを特徴とする。
【００１８】
そして、前記水平配管は、前記パネルと地表面から水平に位置することを特徴とする。
【００１９】
また、前記第１クリップは、前記配管支え片に一体に形成され、前記水平配管の外周面を囲むパイプホルダーをさらに含むことを特徴とする。
【００２０】
一方、本発明は、一定の面積を有するパネルの一側端と平行に配置される水平配管内部を流れる流体の供給を受け、前記パネルに向かって前記流体を噴射する噴射口が備えられたノズル本体と、前記ノズル本体と連結されて一体を形成し、前記パネル下部側に配置された前記水平配管側に向かって延長されたノズル固定金具、および前記ノズル固定金具に形成され、前記パネルと前記水平配管に着脱固定され、前記ノズル本体から噴射される流体の圧力と、前記水平配管に加わる力が、前記ノズル固定金具を中心にして前記ノズル固定金具の両側で平衡をなすようにするクランピングユニット（ｃｌａｍｐｉｎｇ  ｕｎｉｔ）を含むことを特徴とする配管クリップノズル一体型アセンブリを提供することもできる。
【００２１】
ここで、前記ノズル固定金具は、前記ノズル本体と結合されて一体を形成する支持ブラケットと、前記支持ブラケットから延長されて相互対面する一対の固定片を含み、前記一対の固定片のそれぞれの端部に前記クランピングユニットが回動可能に結合されることを特徴とする。
【００２２】
このとき、前記クランピングユニットは、前記ノズル本体と連結された前記ノズル固定金具に回動可能に結合され、一端部は、前記水平配管の外周面一部を支え支持し、他端部は、前記パネルの上面端に接触固定される第１クリップと、前記ノズル固定金具に回動可能に結合され、上端部は、前記パネルの下面端に接触固定される第２クリップを含むことを特徴とする。
【００２３】
そして、前記クランピングユニットは、前記ノズル本体と連結される前記ノズル固定金具の支持ブラケットから延長された一対の固定片のそれぞれの端部を貫通して両端部が締結固定される回動軸に一対の前記第１クリップが回動可能に結合され、前記第２クリップは、一対の前記第１クリップの間に配置されて前記回動軸を基準として回動可能に結合されることを特徴とする。
【００２４】
そして、前記第１クリップは、前記ノズル固定金具に回動可能に結合される第１連結片と、前記第１連結片の一端部から延長されて前記水平配管の外周面一部と対応する円弧状の支え溝を備える配管支え片と、前記第１連結片の他端部から延長されて折曲り、前記第１連結片と連動して回動しながら前記パネルの上面端を押え固定する押え固定片を含むことを特徴とする。
【００２５】
そして、前記第２クリップは、前記ノズル固定金具に回動可能に結合される第２連結片と、前記第２連結片の上端部から延長されて折曲形成され、前記第２連結片と連動して回動しながら前記パネルの下面端を支え支持する支え固定片と、前記第２連結片の下端部から延長される作用片を含むことを特徴とする。
【００２６】
また、前記クランピングユニットは、前記第１クリップと一体を形成し、前記第１クリップの一端部から延長されて前記水平配管の外周面を囲み、前記水平配管の内部空間と前記ノズル本体を配管連結して相互連通させるパイプホルダーをさらに含むことを特徴とする。
【発明の効果】
【００２７】
前記のような構成の本発明によれば、次のような効果を図ることができる。
【００２８】
まず、本発明は、ノズル本体と一体に形成されたノズル固定金具に結合され、パネルと水平配管に着脱固定されるクランピングユニットを含む構造から、設置および解体が容易であるため、作業の便宜性を向上させることができる。
【００２９】
そして、本発明は、ノズル本体から噴射される流体の圧力と水平配管に加わる力がノズル固定金具を中心としてノズル固定金具の両側で平衡をなすようにすることで、振動による耐久性を向上させることができることはもちろん、強固な締結力の維持が可能になる。
【００３０】
そして、本発明は、ノズル本体と一体に形成されたノズル固定金具と結合されたクランピングユニットが一体になった構造であるため、不必要な部品数を最小化し、装置全体の体積を減らして軽量化およびコンパクト化の具現が可能になる。
【００３１】
また、本発明は、太陽電池板のようなパネルの一側端の外部に突出した部分を最小化し、美観を向上させることもできるようになる。
【図面の簡単な説明】
【００３２】
【図１】本発明の一実施形態に係る配管クリップノズル一体型アセンブリの全体的な構造を示す側面概念図である。
【図２】本発明の一実施形態に係る配管クリップノズル一体型アセンブリをパネルおよび水平配管に装着する過程を順次的に示す側面概念図である。
【図３】図１のＡ方向から見たものであって、本発明の他の実施形態に係る配管クリップノズル一体型アセンブリの全体的な結合関係を示す斜視図である。
【図４】図１のＢ方向から見たものであって、本発明の他の実施形態に係る配管クリップノズル一体型アセンブリの全体的な結合関係を示す斜視図である。
【図５】図１のＶ部分を拡大して示すものであって、本発明のまた他の実施形態に係る配管クリップノズル一体型アセンブリの主要部のクランピングユニットのうち、第１クリップの一端部に備えられたパイプホルダーの構造を示す側面概念図である。
【図６】本発明の他の実施形態に係る配管クリップノズル一体型アセンブリの主要部のクランピングユニットのうち、第１クリップの一端部に備えられたパイプホルダーの結合関係を示す側面概念図である。
【発明を実施するための形態】
【００３３】
本発明の利点および特徴、そしてそれを達成する方法は、添付した図面と共に詳細に後述されている実施形態を参照すれば明確になる。
【００３４】
しかし、本発明は、以下で開示される実施形態に限定されるものではなく、互いに異なる様々な形態で具現されることができる。
【００３５】
本明細書において、本実施形態は、本発明の開示が完全になるようにして、本発明が属する技術分野における通常の知識を有する者に発明の範疇を完全に知らせるために提供されるものである。
【００３６】
そして、本発明は、請求項の範疇によって定義されるだけである。
【００３７】
したがって、いくつかの実施形態で、よく知られている構成要素、よく知られている動作およびよく知られている技術は、本発明が曖昧に解釈されることを避けるために具体的に説明されていない。
【００３８】
また、明細書全体にわたって同一の参照符号は、同一の構成要素を指し、本明細書で使用された（言及された）用語は、実施形態を説明するためのものであって、本発明を制限しようとするものではない。
【００３９】
本明細書において、単数形は文句で特に言及しない限り、複数形も含んでおり、「含む（または、備える）」と言及された構成要素および動作は、１つ以上の他の構成要素および動作の存在または追加を排除しない。
【００４０】
別途の定義がなければ、本明細書で使用されるすべての用語（技術及び科学的用語を含む）は、本発明が属する技術分野において、通常の知識を有する者に共通的に理解され得る意味で使用されることができるものである。
【００４１】
また、一般的に使用される辞書に定義されている用語は、定義されていない限り、理想的または過度に解釈されない。
【００４２】
以下、添付された図面を参考して、本発明の好ましい実施形態について説明する。
【００４３】
まず、図１は、本発明の一実施形態に係る配管クリップノズル一体型アセンブリの全体的な構造を示す側面概念図である。
【００４４】
そして、図２は、本発明の一実施形態に係る配管クリップノズル一体型アセンブリをパネル４００および水平配管５００に装着する過程を順次的に示す側面概念図である。
【００４５】
参考までに、図１において、未説明の符号である６００は、フレキシブルホースまたは蛇腹管（ｃｏｒｒｕｇａｔｅ  ｔｕｂｅ）を示す。
【００４６】
本発明は、図示しているように、ノズル本体１００と一体に形成されたノズル固定金具２００に結合されてパネル４００と水平配管５００に着脱固定されるクランピングユニット３００を含む構造であることを把握することができる。
【００４７】
ノズル本体１００は、一定の面積を有するパネル４００の一側端と平行に配置される水平配管５００内部を流れる流体の供給を受け、パネル４００に向かって流体を噴射する噴射口１０１が備えられたものである。
【００４８】
ノズル固定金具２００は、ノズル本体１００と連結されて一体を形成し、パネル４００下部側に配置された水平配管５００側に向かって延長されたものである。
【００４９】
クランピングユニット３００は、ノズル固定金具２００に形成されてパネル４００と水平配管５００に着脱固定され、ノズル本体１００から噴射される流体の圧力と、水平配管５００に加えられる力がノズル固定金具２００を中心に両側で平衡をなすようにする。
【００５０】
したがって、本発明は、設置および解体が容易であるため、作業の便宜を増大させることができる。
【００５１】
本発明は、前記のような実施形態の適用が可能であり、次のような様々な実施形態の適用も可能であることはもちろんである。
【００５２】
まず、本発明は、前述したように、クランピングユニット３００とノズルアセンブリのノズル固定金具２００が一体に形成され、ノズル固定金具２００がノズル本体１００から受ける力がクランピングユニット３００に伝わるようにすることで、ノズル固定金具２００にクランピングユニット３００が結合される地点で重心をなすようになる。
【００５３】
したがって、本発明は、噴射口１０１から水が噴射される水圧と、水平配管５００に加えられる力によって、ノズル固定金具２００にクランピングユニット３００が結合される地点を中心にノズル固定金具２００の両側にテコの力が加えられることになる。
【００５４】
すなわち、本発明は、前述したように、クランピングユニット３００がノズル固定金具２００に結合される地点を中心に両側にテコの力が加えられることにより、噴射口１０１から噴射される水の水圧によって発生する振動にも耐久性を持って強固な締結力を維持することができる。
【００５５】
一方、図３は、図１のＡ方向から見たものであって、本発明の他の実施形態に係る配管クリップノズル一体型アセンブリの全体的な結合関係を示す斜視図であり、図４は、図１のＢ方向から見たものであって、本発明の他の実施形態に係る配管クリップノズル一体型アセンブリの全体的な結合関係を示す斜視図である。
【００５６】
ノズル固定金具２００は、図示のように、ノズル本体１００と結合されて一体を形成する支持ブラケット２１０と、支持ブラケット２１０から延長されて相互対面する一対の固定片２２０、２２０を含み、一対の固定片２２０、２２０のそれぞれの端部に、後述するクランピングユニット３００が回動可能に結合されていることを把握することができる。
【００５７】
ここで、ノズル本体１００は、支持ブラケット２１０に対して回動可能に結合（図１の左側両方向矢印参照）されることにより、噴射角度を調節できることはもちろんである。
【００５８】
このとき、ノズル固定金具２００は、両端部が一対の固定片２２０、２２０それぞれの端部およびクランピングユニット３００を貫通して結合される回動軸２３０と、回動軸２３０の少なくとも一端部に締結されて、クランピングユニット３００が一対の固定片２２０、２２０それぞれの端部から離脱することを防止する締結具２４０をさらに備えることもできる。
【００５９】
締結具２４０は、別途の締結道具がなく、作業者が素手で締結および分離可能なように、図４の蝶ナットのようなものを採択して使用することができる。
【００６０】
このような締結具２４０が回動軸２３０の少なくとも一端部または両端部に締結できるように、回動軸２３０の両端部または少なくとも一端部の外周面には、蝶ナットの雌ねじ山（以下、図示せず）と対応する雄ねじ山（以下、図示せず）を形成することが好ましい。
【００６１】
一方、クランピングユニット３００は、ノズル本体１００と連結されたノズル固定金具２００に回動可能に結合され、一端部は、水平配管５００の外周面一部を支え支持し、他端部は、パネル４００の上面端に接触固定される第１クリップ３１０と、ノズル固定金具２００に回動可能に結合され、上端部は、パネル４００の下面端に接触固定される第２クリップ３２０を含むことが分かる。
【００６２】
すなわち、本発明は、ノズル本体１００の噴射口１０１から噴射される流体、つまり、洗浄水の水圧と、流体の噴射によって発生する水圧により発生する水平配管５００に加わる力が相互平衡をなすことになる。
【００６３】
すなわち、ノズル固定金具２００に回動軸２３０を基準として、回動可能に結合された第１クリップ３１０と第２クリップの締結点を中心にノズル固定金具２００の支持ブラケット２１０側と一対の固定片２２０、２２０それぞれの端部側でテコの作用力が同時に加わることにより、安定した締結状態の維持が可能になる。
【００６４】
クランピングユニット３００は、図３および図４を参照して、より具体的にみると、ノズル本体１００と連結されるノズル固定金具２００の支持ブラケット２１０から延長された一対の固定片２２０、２２０それぞれの端部を貫通して、両端部が締結固定される回動軸２３０に一対の第１クリップ３１０が回動可能に結合されることが分かる。
【００６５】
ここで、第２クリップ３２０は、一対の第１クリップ３１０の間に配置され、回動軸２３０を基準として回動可能に結合されていることも把握することができる。
【００６６】
このとき、第１クリップ３１０は、ノズル固定金具２００に回動可能に結合される第１連結片３１１と、第１連結片３１１の一端部から延長されて水平配管５００の外周面の一部と対応する円弧状の支え溝３１２ｇを備えた配管支え片３１２と、第１連結片３１１の他端部から延長されて折曲り、第１連結片３１１と連動して回動しながらパネル４００の上面端を押さえて固定する押さえ固定片３１３を含む。
【００６７】
また、第１クリップ３１０は、押さえ固定片３１３の端部に形成され、パネル４００および押さえ固定片３１３よりも摩擦抵抗が高い材質からなる第１滑り止めパッド３１４をさらに備えることもできる。
【００６８】
第１滑り止めパッド３１４は、ゴムや合成ゴム、またはポリウレタン樹脂またはウレタン樹脂などのような合成樹脂などの弾性および摩擦抵抗を有する素材で製作されて押さえ固定片３１３の端部がパネル４００に確実に密着固定された状態を維持することに役立つことができる。
【００６９】
一方、第２クリップ３２０は、ノズル固定金具２００に回動可能に結合される第２連結片３２１と、第２連結片３２１の上端部から延長されて折曲形成され、第２連結片３２１と連動して回動しながらパネル４００の下面端を支え支持する支え固定片３２２と、第２連結片３２１の下端部から延長される作用片３２３を含む。
【００７０】
ここで、作用片３２３は、ノズル固定金具２００に回動可能に結合された第２連結片３２１を図２ａの（１）方向に回動させるテコの作用点の役割を行うためのものである。
【００７１】
このとき、第２クリップ３２０は、支え固定片３２２の端部に形成され、パネル４００および支え固定片３２２よりも摩擦抵抗が高い材質からなる第２滑り止めパッド３２４をさらに備えることもできる。
【００７２】
第２滑り止めパッド３２４は、ゴムや合成ゴム、またはポリウレタン樹脂またはウレタン樹脂などのような合成樹脂などの弾性および摩擦抵抗を有する素材で製作され、支え固定片３２２の端部がパネル４００に確実に密着固定された状態を維持することに役立つことができる。
【００７３】
前述したように、本発明の配管クリップノズル一体型アセンブリをパネルおよび水平配管に装着する過程を図２を再び参照しながら、次のように簡略にみてみる。
【００７４】
まず、作業者は、設置の便宜のために、２ａに示すように、ノズル固定金具２００の回動軸２３０を基準として第１クリップ３１０および第２クリップ３２０を回動させた後、（１）第２連結片３２１を回動させ、支え固定片３２２をパネル４００の下面端に密着させる。
【００７５】
次に、作業者は、（２）配管支え片３１２の支え溝３１２ｇを水平配管５００の外周面に接触させた後、（３）第１連結片３１１を回動させて押さえ固定片３１３をパネル４００の上面端に密着させると、図２ｂに示すように、設置が簡単に完了する。
【００７６】
一方、図５は、図１のＶ部分を拡大して示したものであって、本発明の他の実施形態に係る配管クリップノズル一体型アセンブリの主要部のクランピングユニット３００のうち、第１クリップ３１０の一端部に備えられるパイプホルダー３３０の構造を示す側面概念図である。
【００７７】
また、図６は、本発明の他の実施形態に係る配管クリップノズル一体型アセンブリの主要部のクランピングユニットのうち、第１クリップ３１０の一端部に備えられるパイプホルダー３３０の結合関係を示す側面概念図である。
【００７８】
クランピングユニット３００は、図５および図６に示すように、第１クリップ３１０と一体を形成し、第１クリップ３１０の一端部から延長されて、水平配管５００の外周面を囲み、水平配管５００の内部空間とノズル本体１００を配管連結して相互連通させるパイプホルダー３３０をさらに備えることができる。
【００７９】
パイプホルダー３３０は、より具体的にみると、図６に示すように、円筒状の両端貫通のパイプホルダー３３０の一部を形成するもので、第１クリップ３１０に連結される半円筒状の両端貫通の第１ホルダー分割片３３１と、円筒状の両端貫通のパイプホルダー３３０の残りを形成するもので、第１ホルダー分割片３３１と連結される半円筒状の両端貫通の第２ホルダー分割片３３２を含むこともできる。
【００８０】
すなわち、パイプホルダー３３０は、図６ａに示すように、第１ホルダー分割片３３１に対して第２ホルダー分割片３３２が着脱結合されることができる。
【００８１】
このため、パイプホルダー３３０は、第１ホルダー分割片３３１の両側端の外側面に沿って、それぞれ段差があるように形成される第１段顎部３３１a、３３１aと、第１段顎部３３１a、３３１aと対応する形状に形成され、第２ホルダー分割片３３２の両側端の内側面に沿って、それぞれ段差があるように形成される第２段顎部３３２ａ、３３２ａをさらに備えることもできる。
【００８２】
また、パイプホルダー３３０は、図６ｂに示すように、第１ホルダー分割片３３１に対して第２ホルダー分割片３３２が回動して着脱結合されることもできる。
【００８３】
このため、パイプホルダー３３０は、第１ホルダー分割片３３１の一側端の外側面に沿って、段差があるように形成される第３段顎部３３１ｂをさらに備えることができる。
【００８４】
そして、パイプホルダー３３０は、第３段顎部３３１ｂと対応する形状に形成され、第２ホルダー分割片３３２の一側端の内側面に沿って、段差があるように形成される第４段顎部３３２ｂをさらに備えることもできる。
【００８５】
また、パイプホルダー３３０は、第１ホルダー分割片３３１の他側端および第２ホルダー分割片３３２の他側端を相互回動可能に連結させる補助回動軸３３３をさらに備えることもできることはもちろんである。
【００８６】
以上のように、本発明は、設置と解体が容易であり、振動に対する耐久性を有し、強固な締結力の維持が可能なようにする配管クリップノズル一体型アセンブリを提供することを基本的な技術的思想としていることが分かる。
【００８７】
そして、本発明の基本的な技術的思想の範疇内において、当該業界の通常の知識を有する者にとっては、様々な変形および応用も可能であることはもちろんである。
【産業上の利用可能性】
【００８８】
前述したように、本発明は、太陽光発電設備の効率向上のために太陽電池板に近接して噴射ノズルを装着するために適用されるのはもちろん、太陽光発電設備のほかにも一定の面積を有するパネル部材の全体面積にわたる洗浄のための噴射ノズルを設置して管理する用途にも活用できるものである。
【図１】
2018531143.tif 000003
【図２（ａ）】
2018531143.tif 000004
【図２（ｂ）】
2018531143.tif 000005
【図３】
2018531143.tif 000006
【図４】
2018531143.tif 000007
【図５】
2018531143.tif 000008
【図６】
2018531143.tif 000009
【国際調査報告】
2018531143.tif 000010
2018531143.tif 000011
2018531143.tif 000012
2018531143.tif 000013